(57)【特許請求の範囲】
【請求項１】
スライド式ジッパ組立体において、
雌型プロフィルおよび雄型プロフィルを有する再閉鎖可能なジッパを具備し、
前記雌型プロフィルは前記雄型プロフィルの方に向けられた面上に雌型連結部材と、前記雄型プロフィルから離れた側にベースとを有しており、
前記雄型プロフィルは前記雌型プロフィルに向けられた面上に雄型連結部材と、前記雌型プロフィルから離れた側にベースとを有しており、前記雄型連結部材は、前記雄型プロフィルのベースとの結合部分から下方に延びており、前記雌型連結部材と該雄型連結部材は互いに係合可能であり、
さらに、
前記プロフィル間に支点部を形成する、前記雌型および雄型プロフィルのうちの少なくとも一つの支点部形成部分を具備し、係合状態にあるときに前記連結部材を分離させるために、前記雌型プロフィルのベースの末端を前記雄型プロフィルのベースに向かって押すことによって前記雌型プロフィルを前記支点部回りに回動させることができ、
さらに、
前記ジッパに沿って運動できるよう配置されたスライダを具備し、前記スライダは頂部と該頂部から延びている第一および第二のアームとを有し、前記第一および第二のアームは前記雌型および雄型プロフィルのベースにそれぞれ隣接して配置され、前記前記第一および第二のアームにおいて前記頂部の反対側の下端部に、前記雌型プロフィルのベースの末端および前記雄型プロフィルのベースの末端に接する保持用肩部が、内側へ互いに接近する方向に突出、形成されており、
前記スライダの開放用端部においては、前記第一のスライダのアームの内面が前記雌型プロフィルのベースの末端を前記雄型プロフィルのベースに向かって押すように整形され、かつ、前記第二のアームの保持用肩部において前記雄型プロフィルのベースの末端に接する内面が、前記雌型プロフィルのベースの末端に接する前記第１のアームの保持用肩部の内面より高く形成され、かつ、前記スライダの頂部の内面において前記雄型プロフィルの上側にキャビティが形成されており、それにより、前記スライダを前記ジッパに沿って前記開放用端部とは反対の開放方向に移動させるときに、前記雌型プロフィルが前記支点部回りに回動すると共に、前記雄型プロフィルが前記雌型プロフィルに対して上動して前記連結部材を分離させるようにしたスライド式ジッパ組立体。
【請求項２】
前記支点部形成部分が漏れ止め密封部をさらに形成している請求項１に記載のスライド式ジッパ組立体。
【請求項３】
前記スライダは、前記プロフィルが前記スライダの搭載位置において連結されることにより前記ジッパに搭載される請求項１に記載のスライド式ジッパ組立体。
【請求項４】
前記プロフィルのベースが前記連結部材よりも剛固であるようにした請求項１に記載のスライド式ジッパ組立体。
【請求項５】
前記スライダを前記開放方向とは反対の閉鎖方向に移動させるときに、前記スライダの閉鎖用端部においては前記スライダ用アームの内面のそれぞれが前記プロフィルを押すと共に、前記スライダの閉鎖用端部における頂部の内面にて、前記雄型プロフィルのベース上端を押圧して係合状態にするように整形されている請求項１に記載のスライド式ジッパ組立体。
【請求項６】
前記プロフィルを係合させるときに、前記プロフィルのベースが前記末端の方向に末広がりになる請求項１に記載のスライド式ジッパ組立体。
【請求項７】
前記雌型プロフィルのベースの末端とは反対側の端部において前記雌型プロフィルがラッチ部材を有し、前記雄型プロフィルのベースの末端とは反対側の端部において前記雄型プロフィルが前記ラッチ部材用の受容部を有し、前記開放用端部において前記スライダの頂部が下方に突出肩状部を有し、該肩状部が前記雌型プロフィルと係合して前記ラッチ部材を付勢して前記受容部から分離させる請求項１に記載のスライド式ジッパ組立体。
【発明の詳細な説明】
【０００１】
【発明の属する技術分野】
本発明は、品物、例えば食料品などを貯蔵できる形式のプラスチック製バッグに使用される再閉鎖可能なジッパとスライド式ジッパ組立体とに関する。
【０００２】
【従来の技術】
プラスチック製バッグに使用されるスライド式ジッパ組立体は再閉鎖可能なファスナの技術分野において周知である。通常のスライド式ジッパ組立体の実施例は、米国特許第５００７１４３号明細書、同第５００８９７１号明細書、同第５１３１１２１号明細書、および同第５６６４２９９号明細書において見られうる。
【０００３】
通常のスライド式ジッパ組立体は典型的には、二つの連結用プロフィルを有するプラスチック製ジッパと、ジッパを開閉させるスライダとを具備している。スライダはジッパを跨いでいて分離用フィンガを有しており、この分離用フィンガはスライダをジッパに沿って開放方向に移動させるときに、一端においてプロフィル間に挿入されてこれらプロフィルを付勢して離間させる。スライダの他端は、スライダをジッパに沿って閉鎖方向に移動させるときにプロフィルを係合状態にしてジッパを閉鎖させるのに十分に狭い。
【０００４】
近年では、分離用フィンガを使用しないスライド式ジッパ組立体が開示されている。例えば、米国特許第５８０９６２１号明細書においては、ジッパのプロフィルの一つに、スライダと協動する一対のハンドルが設けられているスライダ式ジッパ組立体を開示している。スライダを開放方向に移動させると、ハンドルは一緒に圧迫されてプロフィルを分離させる。
【０００５】
米国特許第５４４２８３８号明細書においては、ジッパのプロフィルを「回転動作」によって係合させて分離させるスライド式ジッパ組立体が開示されている。この「回転動作」は、プロフィル上のフランジとスライダ用アームから内側に突出している肩部との間で協動することによって行われることが開示されている。スライダの肩部は、フランジと係合するようにスライダの長さ部分の全体にわたって整形されていて、スライダの閉鎖用端部における間隔は開放用端部における間隔よりも大きい。
【０００６】
【発明が解決しようとする課題】
しかしながら、多数の従来技術のスライド式ジッパ組立体は、しばしば満足いくものではないとされていた。例えば、或る従来技術のスライド式ジッパ組立体はジッパのプロフィルとの連結作用が不適切であり、その結果、バッグの中身が漏れるという結果になる。従来技術の他のスライド式ジッパ組立体はジッパとして連続的に機能せず、しばしばジッパを適切に連結しないか、もしくはジッパを閉鎖しない。しかしながら、他のスライド式ジッパ組立体は複雑な形状であって、しばしば製造するのが困難で費用がかかる。
【０００７】
それゆえ、本発明の目的は、前述した従来技術に関する問題を克服してプラスチック製バッグと共に使用できる特徴的であって新規なスライド式ジッパ組立体を提供することである。
【０００８】
【課題を解決するための手段】
本発明は、スライダと再閉鎖可能なジッパとを具備する新規なスライド式ジッパ組立体を提供して前述した問題を解決するものである。
ジッパは、第一のプロフィルと、この第一のプロフィルに連結する第二のプロフィルとを有している。第一のプロフィルは、第二のプロフィルの方に向けられた面上に第一の連結部材と、第二のプロフィルから離れた側に一体的なベースとを有している。同様に、第二のプロフィルは、第一のプロフィルの連結部材により連結可能な第一のプロフィルの方に向けられた面上に第二の連結部材と、第一のプロフィルから離れた側に一体的なベースとを有している。さらに、第一および第二のプロフィルの一部分が支点部を形成していて、プロフィルのベースの末端が互いに向かって付勢されるときに、これらプロフィルはこの支点部回りで回動して係合状態から自由になる。
【０００９】
頂部にジッパを有しているバッグ上において、スライダは二つのアームが延びている頂部を有している。スライダはジッパを跨いでいて、閉鎖用端部と開放用端部とを有している。従来技術のスライダとは異なり、開放用端部は閉鎖用端部よりも狭い。さらに、スライダは分離用フィンガを有していない。
連結したプロフィルを支点部回りに回動させて係合状態から自由にすることによってジッパを開放させる。スライダを開放方向に移動させるときに、プロフィルのベースの末端を互いに向かって付勢させることによって開放動作を行うことができるように、開放用端部のスライダ用アームを整形する。閉鎖用端部においてはスライダを閉鎖方向に移動させるときに、スライダ用アームがプロフィルを係合状態にするように整形される。
【００１０】
同一の参照番号は同一の要素を示している図面を参照することによって、本発明はさらに詳細に説明されるであろう。
【００１１】
【発明の実施の形態】
図１は本発明の第一の実施態様に基づく連結可能なジッパ１０の断面図である。ジッパ１０は弾性プラスチック材料、例えばポリエチレンから形成されていて雄型プロフィル１２と雌型プロフィル１４とを具備している。ジッパ１０を、図６に示すようにプラスチック製バッグ８６の口部８８を横切って配置することができる。本願明細書の目的のために、バッグ８６は図６に示されるようにその口部８８が頂部を向くように想定されている。
【００１２】
雄型プロフィル１２は、雌型プロフィル１４の方に向けられた面上に雄型連結部材１６と、雌型プロフィル１４から離れた側に比較的硬いベース１８とを有している。同様に、雌型プロフィル１４は、雄型プロフィル１２の雄型連結部材１６と共に連結可能であって雄型プロフィル１２の方に向けられた面上に雌型連結部材２０と、雄型プロフィル１２から離れた側に比較的硬いベース２２とを有している。雄型連結部材１６と雌型連結部材２０との精密許容差と寸法とによって、これらプロフィル間において漏れ止め特性を有する剛固な連結部が形成される。
【００１３】
図１から明らかであるように、これらプロフィルのベース１８と２２とは平行ではなくて、文字「Ａ」のように下方に向かって末広がりになっている。開放させる力はこれらプロフィルの下方の脚部を押して離すようになっていてその結果雄型連結部材１６と雌型連結部材２０との間の連結部が強固になるので、このように「Ａ」字形状であるために、ジッパをバッグ８６の内容物側から開放させるのは困難である。ジッパはベース延長部２８、３０においてバッグ８６を密封することができる。
【００１４】
雄型プロフィル１２は、図１に示されるように雌型プロフィル１４の凹型支点部材３４と係合して支点部３６を形成する凸型支点部材３２も有している。支点部３６は、プロフィルのベース１８と２２との間においてこれらベースから等距離に位置していなくて、雄型プロフィル１２に接近するよう偏っている。支点部材３２、３４の表面は、支点部３６において連結したプロフィル１２、１４の間の漏れ止め密封部を形成する形状になっている。
【００１５】
プロフィルのベース１８、２２の末端３８、４０は互いに向かうように付勢されて、図３に示されるように、これらプロフィルがてこ作用によって支点部３６回りに互いに反対向きに回動して分離する。雄型連結部材１６は、雌型連結部材２０から容易に分離できるように整形されている。雌型連結部材２０上の頂部のラッチ２３は雄型連結部材１６内の頂部のキャビティもしくはくぼみ２５から弾性的に解放可能であり、後述されるように関連づけられたスライダ上の上方肩状部７５によって頂部のラッチ上に形成される力により、これら連結部材を開放させることができる。プロフィル１２、１４を適切に回動させるために、プロフィルのベース１８、２２を、雄型連結部材１６および雌型連結部材２０よりも剛固にすべきである。このことは、例えばベース１８、２２を連結部材１６、２０の弾性部分よりも厚く形成することによって、行うことができる。
【００１６】
ジッパ１０の開放作用と閉鎖作用とを容易にするために、ジッパ１０には跨ぎ式スライダ４２が設けられている。スライダの搭載点においてジッパのプロフィルを分離させる必要がある従来技術の多数のスライド式ジッパ組立体とは異なり、スライダが分離用フィンガを使用しないために、跨ぎ式スライダ４２を搭載点においてプロフィルを分離させることなく、ジッパの頂部に搭載することができる。
【００１７】
図６に示されるように、スライダは、プロフィル１２、１４が跨ぎ式スライダによって係合される閉鎖方向「Ｃ」と、プロフィル１２、１４が跨ぎ式スライダによって分離される開放方向「Ｏ」とに関してジッパに沿って摺動することができる。跨ぎ式スライダ４２は弾性プラスチック材料、例えばデルリン（登録商標）、ポリプロピレン、ＰＢＴなどから形成される。
【００１８】
図２は跨ぎ式スライダ４２の閉鎖用端部４４とジッパ１０との断面を示している。スライダ４０を閉鎖方向「Ｃ」すなわち閉鎖用端部４４とは反対に移動させるときに、閉鎖用端部においてジッパのプロフィル１２、１４が係合状態にされるので閉鎖用端部はこのように呼ばれる。
図２に示されるように、跨ぎ式スライダ４２はジッパ１０を跨いでいて、第一のアーム４８と第二のアーム５０とが延びている頂部４６を有している。第一のアーム４８は内面５２を有しており、第二のアーム５０は内面５４を有している。スライダ用アームの内面５２、５４はプロフィルのベース１８、２２と同様に互いに末広がりになっていて、スライダ４２をジッパ１０に沿って閉鎖方向「Ｃ」に移動させるときにプロフィル１２、１４を押して係合させるように離間されている。
【００１９】
スライダ用アーム４８、５０には、プロフィル１２、１４の下面６４、６６と係合する上面６０、６２を有する保持用肩部５６、５８が設けられている。上面６０、６２と下面６４、６６とには引っ張り抵抗を最大限にするためにテーパを付けてもよい。上方向への引っ張り動作によってプロフィルのベース１８、２２を末端３８、４０において引き離してスライダ４２をジッパ１０に固定するようになっているので、これら上面と下面とがプロフィル１２、１４からなる「Ａ」形状の組み合わせをなして係合することによって、使用時にスライダ４２が不注意によりジッパ１０から引き離されるのが妨げられる。
【００２０】
スライダ４２を開放方向「Ｏ」に移動させると、ジッパ１０は開放する。図３はスライダ４２の開放用端部を示している。この論述に関しては、スライダ４２とジッパ１０とは図２および図３と、同じ向きに示されている。しかしながら、操作者がスライダ４２とジッパ１０とを開放用端部から実際に見る場合には、スライダ４２およびジッパ１０の向きは逆になる。
【００２１】
図３に示されるように、開放用端部６８においてスライダ用アームは内面７０、７２をそれぞれ有しており、これら内面は閉鎖用端部内のように末広がりになっているのではなくて、ほぼ平行状態にある。さらに、第一のスライダ用アーム４８は、閉鎖用端部４４における第一のスライダ用アームの保持用肩部５６よりも厚さ部分の大きい保持用肩部７４と、ジッパの頂部から下方に延びている肩状部７５とを有している。開放用端部（図３に示される）において肩状部７５を含んだ状態で測定されるスライダの頂部４６の厚さ部分全体は、閉鎖用端部（図２に示される）において測定される対応する頂部４６の厚さ部分よりも大きい。
【００２２】
スライダを開放方向に移動させ、スライダ用アームの内面を内面５２、５４からなる「Ａ」形状から、内面７０、７２からなる略平行の形状まで変化させると、プロフィルのベース１８、２２の末端３８、４０は互いに向かうよう付勢され、その結果、支点部材がさらに剛固な状態となって、プロフィル１２、１４は支点部３６回りに反対向きに回動される。同時に、第一のスライダ用アーム上の保持用肩部７４は雄型プロフィルを上方に付勢し、肩状部７５が雌型プロフィルを下方に付勢して、雄型の凸型支点部材３２を雌型の凹型支点部材３４に沿って上方に排動させる。プロフィルの上方／下方への相対運動をさらに容易にしてプロフィルの密封特性をさらに高める点接触部を形成するために、凸型支点部材３２の半径は、凹型支点部材３４の半径よりも小さくてよい。従って、図３に示されるように、結果的に行われる動作は、プロフィル１２、１４が支点部３６回りに同時に反対向きに回動する回動運動であり、第一のプロフィル１２が第二のプロフィル１４に対して上方向に移動することによって図３に示されるようにプロフィルは分離する。スライダの頂部におけるキャビティ７６によって雄型プロフィル１２は上方に移動することができる。
【００２３】
スライダ用アームの内面と保持用肩部とはスライダ４２の長さ部分にわたって連続していても連続していなくてもよい。図４ではスライダ用アームの内面と保持用肩部とは連続しておらず、開放用端部６８と閉鎖用端部４４との間のスライダの中心区分７８に設けられた大型室８０によって、プロフィルは円滑に係合して分離することができる。しかしながら、他の考え方、例えば製造を容易にするために、内面および／または保持用肩部を連続的にしてもよい。
【００２４】
図５（ａ）、図５（ｂ）、および図５（ｃ）は、スライダの種々の区分を示すために並べられた比較図である。図５（ａ）はスライダ４２の閉鎖用端部４４の断面を示している。閉鎖用端部の開口部８２は幅「ｗ」を有しており、保持用肩部間の距離は「ｄ」である。図５（ｃ）はスライダ４２の開放用端部６８の断面を示している。開放用端部６８の開口部８４の幅は閉鎖用端部４４の開口部８２の幅よりも小さく、開放用端部における保持用肩部間の距離は閉鎖用端部における保持用肩部間の距離よりも小さい。前述したように、この形状は従来技術のスライダにおいて見られる形状とは反対である。従来技術のスライダにおいては、スライダを閉鎖方向に移動させるときに、プロフィルを付勢して連結した状態にするために閉鎖用端部は開放用端部よりも狭い。しかしながら、本発明はレバー／支点部動作を用いてジッパを操作するので、現実には開放用端部が狭い方の端部である。
【００２５】
図５（ｂ）はスライダ４２の中心区分７８の断面図を示している。図面より明らかであるように、中心区分７８は保持用肩部を有していなくてもよく、中心の室８０の幅は閉鎖用端部の開口部８２の幅よりも大きい。前述したように、この形状によってジッパを円滑に開放して閉鎖できるのに十分な室が形成されうる。
図６はスライダ４２が頂部に配置された状態のプラスチック製バッグ８６を示している。ジッパ１０を開放させるために、スライダ４２をジッパ１０に沿って開放方向「Ｏ」に単純に移動させる。ジッパ１０を閉鎖させるために、スライダ４２をジッパ１０に沿って閉鎖方向「Ｃ」に移動させる。
【００２６】
本発明は前述した実施態様に制限されるものではない。本発明を実施するために複数のスライダおよびジッパを使用してもよい。
例えば、図７（ａ）および図７（ｂ）は、本発明の第二の実施態様に基づくスライダ９０の閉鎖用端部９２と開放用端部９４とにおける寸法決めされた断面をそれぞれ示している。
【００２７】
図７（ａ）および図７（ｂ）のスライダは、図２および図３のスライダと基本的には同様に操作されるが、いくつかの態様が異なっている。例えば、閉鎖用端部９２においては、第二のスライダ用アームの内面９６は第一のスライダ用アームの内面９８よりも長い。従って、スライダ９０は、一方のプロフィルが他方のプロフィルよりも長くなっている例えば図８に示されるようなプロフィルを有するジッパを収容できる。さらに、開放用端部９４においては、第二のスライダ用アームの内面１００が他方の内面に対して平行状態を越えた状態になって傾斜しており、従ってプロフィルはさらに大きく回動することができる。
【００２８】
本発明は図１のジッパに制限されない。プロフィルを回動させることができる連結用ジッパを本発明を実施するのに使用してもよい。
例えば、図８は、かぎ式連結部材１０４、１０６と左側に偏っている支点部１０８とを有するジッパ１０２の断面を示している。図９のジッパ１１０においては、ジッパ１１０のベース１１２と１１４とが平行であり、支点部１１６はこれらプロフィルのベースの間においてこれらベースから等距離に位置している。さらに、支点部材１１８、１２０は図１のジッパのような凹凸式でなくて平坦である。従って、本発明は凹凸式の係合用支点部材を有するプロフィルに制限されるものではない。しかしながら、凹凸式支点部材を使用することによって、漏れに対する保護作用をさらに高めることができる。
【００２９】
図１０のジッパ１２２は、支点部材１２４、１２６が凹凸式であることを除けば図８のジッパと同一であって、従って図９のプロフィルよりも漏れ止め密封作用をさらに高めることができる。図１１のジッパ１２８は平行なベース１３０、１３２を同様に使用しているが、一つのみの支点部材１３４を有している。
さらに、ジッパ１０が、ベース部材の上方に位置するジッパの頂部に連結部材を備えている種々の実施態様により示されて説明されているが、ベース部材が連結部材の上方に位置している逆の構成を使用することもできる。すなわち、ジッパを図示されている向きからほぼ逆さまの状態にしてもよい。
【００３０】
図８、図９、図１０、もしくは図１１のプロフィルおよび他のプロフィルを使用するときに、ジッパを開放させて閉鎖させるために形状をいくらか変更させる必要があるが、当業者であればそのように形状を変更できることは明らかであろう。
図１２と図１３とは本発明のさらなる他の実施態様に基づくスライド式ジッパ組立体を示している。図１２に示されるように、スライド式ジッパ組立体は、スライダ１３６、および雄型プロフィル１４０と雌型プロフィル１４２とを有するジッパ１３８を具備している。前述の実施態様とは異なり、これらプロフィルは支点部材を個々に有していない。しかしながら、プロフィルのベース１４６、１４８の一部分１５０、１５２が、プロフィルを連結させるときに１４４において支点部を形成する。スライダを開放方向に移動させるときに、図１３に示されるようにスライダ用アームの内面１５４、１５６の形状が変化することにより、プロフィルを付勢して支点部１４４回りに反対向きに回動させるか、もしくは「揺動」させて分離させる。
【００３１】
従って、本発明を実施するのに使用できるスライダ／ジッパが無数に存在しているのは明らかである。
当業者であれば前述した変更は添付される特許請求の範囲を越えないのは明らかである。
【図面の簡単な説明】
【図１】本発明の第一の実施態様に基づく連結したジッパの断面図である。
【図２】本発明の第一の実施態様に基づくスライド式ジッパ組立体の閉鎖用端部の図である。
【図３】本発明の第一の実施態様に基づくスライド式ジッパ組立体の開放用端部の図である。
【図４】本発明の第一の実施態様に基づくスライダの斜視図である。
【図５】（ａ）本発明の第一の実施態様に基づくスライダの閉鎖用端部の断面図である。
（ｂ）本発明の第一の実施態様に基づくスライダの中心区分の断面図である。
（ｃ）本発明の第一の実施態様に基づくスライダの開放用端部の断面図である。
【図６】プラスチック製バッグの口部に沿って配置された本発明の第一の実施態様に基づくスライド式ジッパ組立体の斜視図である。
【図７】（ａ）本発明の第二の実施態様に基づくスライダの閉鎖用端部の断面図である。
（ｂ）本発明の第二の実施態様に基づくスライダの開放用端部の断面図である。
【図８】本発明の第三の実施態様に基づくジッパの断面図である。
【図９】本発明の第四の実施態様に基づくジッパの断面図である。
【図１０】本発明の第五の実施態様に基づくジッパの断面図である。
【図１１】本発明の第六の実施態様に基づくジッパの断面図である。
【図１２】本発明の第七の実施態様に基づくスライド式ジッパ組立体の閉鎖用端部を示す図である。
【図１３】本発明の第七の実施態様に基づくスライド式ジッパ組立体の開放用端部を示す図である。
【符号の説明】
１０…ジッパ
１２…雄型プロフィル
１４…雌型プロフィル
１６…雄型連結部材
１８…ベース
２０…雌型連結部材
２２…ベース
３６…支点部
【図１】
0004694668.tif 000002
【図２】
0004694668.tif 000003
【図３】
0004694668.tif 000004
【図４】
0004694668.tif 000005
【図５】
0004694668.tif 000006
【図６】
0004694668.tif 000007
【図７】
0004694668.tif 000008
【図８】
0004694668.tif 000009
【図９】
0004694668.tif 000010
【図１０】
0004694668.tif 000011
【図１１】
0004694668.tif 000012
【図１２】
0004694668.tif 000013
【図１３】
0004694668.tif 000014